(57)【要約】      （修正有）【課題】ターゲットライトによる照射位置を照明範囲内において変更することができる照明装置を提供する。【解決手段】被写体を照明する照明光を射出する光源と、前記照明光による照明範囲内に対して、ターゲット光を照射するターゲットライト６と、前記ターゲットライト光の照射位置を、前記照明範囲内において変更する変更部１２とを備える。【選択図】図３
2015087462.tif 000002
【特許請求の範囲】
【請求項１】
被写体を照明する照明光を射出する光源と、
前記照明光による照明範囲内に対して、ターゲット光を照射するターゲットライトと、
前記ターゲットライト光の照射位置を、前記照明範囲内において変更する変更部と、
を備えることを特徴とする照明装置。
【請求項２】
前記変更部は、前記ターゲットライト光の照射位置を、前記照明範囲内において少なくとも上下左右に変更可能であることを特徴とする請求項１記載の照明装置。
【請求項３】
前記ターゲットライトは、１つのターゲット光源を有し、
前記変更部は、前記ターゲット光源の向きを変更することを特徴とする請求項１または２記載の照明装置。
【請求項４】
前記ターゲットライトは、前記照明範囲内のそれぞれの位置を照射する複数のターゲット光源を有し、
前記変更部は、前記複数のターゲット光源の中の少なくとも１つの前記ターゲット光源を選択し点灯させることを特徴とする請求項１または２記載の照明装置。
【請求項５】
前記光源の明るさに応じ前記ターゲット光源の照度を変更することを特徴とする請求項１〜４の何れか一項に記載の照明装置。
【請求項６】
前記光源は、ＬＥＤ光源であることを特徴とする請求項１〜５の何れか一項に記載の照明装置。
【発明の詳細な説明】
【技術分野】
【０００１】
本発明は、ターゲットライトを備えた照明装置に関するものである。
【背景技術】
【０００２】
従来、ターゲットライトを備えた照明装置が存在する（例えば、特許文献１参照）。この照明装置においては、照明光により主要被写体を適切に照明するために、目印照明となるターゲットライトから照射されたターゲット光は、照明範囲の略中央を照明する。
【先行技術文献】
【特許文献】
【０００３】
【特許文献１】特開２００１−２２８５１７号公報
【発明の概要】
【発明が解決しようとする課題】
【０００４】
ところで撮影の際に被写体に対して多灯照明を行う場合には、被写体に対してどのように照明光を照射するのかを撮影者の感覚に頼っていたため、照明の再現性を確保することが困難であった。また、従来のターゲットライトは、照明範囲の略中央を示していることから被写体を最大光量で照明する場合に、ターゲットライトを使って狙いをつけることは容易であった。しかしながら、例えばわざと照明光の照明領域の略中央領域を被写体から逸らして、その照明範囲内の周辺領域の照明光を使って被写体を照明する場合（少しだけ光量を落として照明するような微妙な照明）に、ターゲットライトを使って狙いをつけることには不向きであった。
【０００５】
本発明の目的は、ターゲットライトによる照射位置を照明範囲内において変更することができる照明装置を提供することである。
【課題を解決するための手段】
【０００６】
本発明の照明装置は、被写体を照明する照明光を射出する光源と、前記照明光による照明範囲内に対して、ターゲット光を照射するターゲットライトと、前記ターゲット光の照射位置を、前記照明範囲内において変更する変更部とを備える。
【発明の効果】
【０００７】
本発明によれば、ターゲットライトから照射したターゲット光の照射位置を、照明光の照明範囲内において変更することができる。
【図面の簡単な説明】
【０００８】
【図１】第１の実施の形態に係る照明装置を使ったカメラシステムの正面図である。
【図２】第１の実施の形態に係る照明装置の斜視図である。
【図３】第１の実施の形態に係る照明装置の内部構造を示す図である。
【図４】第１の実施の形態に係るターゲットライト操作機構を示す図である。
【図５】第１の実施の形態に係るターゲットライト操作機構の分解斜視図である。
【図６】第１の実施の形態に係るターゲットライトの照射位置を示す図である。
【図７】第２の実施の形態に係る照明装置の斜視図である。
【図８】第２の実施の形態に係る照明装置の内部構造を示す図である。
【発明を実施するための形態】
【０００９】
以下、図面を参照して、本発明の実施の形態に係る照明装置について説明する。
【００１０】
図１は実施の形態に係るカメラ１と照明装置２とブラケット３からなるカメラシステムを示す正面図である。照明装置２の底部にはネジ穴（不図示）が設けられており、照明装置２はネジ３ｂによってブラケット３に着脱可能である。またブラケット３は、三脚穴ネジ３ａによってカメラ１の三脚ネジ穴に着脱可能である。照明装置２は、ブラケット３、ネジ３ａ，３ｂを介して、カメラ１と一体化されたカメラシステムを構築することができる。
【００１１】
図２は第１の実施の形態に係る照明装置を前方から視た斜視図であり、図３は実施の形態に係る照明装置を背面側から視た内部構造を示す図である。照明装置２は、その前面に照明光射出窓４（フレネルレンズ）を有すると共に照明光射出窓４の上部にターゲットライト６を有し、その背面にターゲットライト操作部材８を有すると共にターゲットライト操作部材８の下部に電源スイッチ１０を有している。照明装置２の照明光射出窓４の内側には、照明光射出窓４から照明光を射出させる光源（図示せず）を備えている。ここで光源には、連続照明光を発光可能な光源（例えば、ＬＥＤ、電球、電灯など）が用いられる。またターゲットライト６には、指向性に優れた平行光を発する平行光源（例えばレーザー光を発するレーザー光源）などが用いられる。
【００１２】
照明装置２においては、電源スイッチ１０を押圧操作（オン操作）すると光源及びターゲットライト６が点灯する。この場合において、後述するターゲットライト操作機構１２が撮影者（ユーザー）に操作されていなければ、ターゲットライト６から照射（射出）されたターゲット光は、光源から照射された照明光による照明範囲１４（図６参照）の略中央を照射する。また電源スイッチ１０をもう一度押圧する操作（オフ操作）すると、光源およびターゲットライトは消灯する。なお本実施形態では、電源スイッチ１０の操作により、光源とターゲットライトの両方が点灯／消灯するように構成しているが、光源とターゲットライトの電源スイッチをそれぞれ個別に設けるように構成しても良い。
【００１３】
照明装置２は、ターゲットライト６を図３の破線矢印で示すように上下左右に移動させて、照明範囲１４内におけるターゲット光の照射位置を変更させるためのターゲットライト操作機構１２を備えている。図４及び図５に示すように、ターゲットライト操作機構１２は、ターゲットライト操作機構１２を照明装置２内の所定位置に固定する軸部１２ａ、先端にターゲットライト６が設けられたＬＥＤレバー１２ｂ及び先端に設けられた操作部材８が照明装置２の背面から突出しターゲットライト６の位置を移動させる操作レバー１２ｃにより構成されている。このターゲットライト操作機構１２は、軸部１２ａの中心部にＬＥＤレバー１２ｂ及び操作レバー１２ｃが上下左右に移動可能に接続されており、図３の実線矢印で示すように、操作部材８を上下左右に動かすことにより、破線矢印で示すようにターゲットライト６が上下左右に移動し、ターゲットライト６から照射されたターゲット光の照射位置を変更させることができる。なお本実施形態では、撮影者が操作部材８への操作を解除すれば、操作部材８は元の位置（中央位置）に弾性力で復帰し、これに伴ってターゲットライト６も中央位置に弾性力で復帰するように、ターゲットライト操作機構１２にはバネ（不図示）が付勢されている。
【００１４】
ここで図６は、照明装置２から照射された照明光による照明範囲１４を示しており、ターゲットライト６から照射されたターゲット光の照射位置（図６中において黒丸で図示）は、照明範囲１４内において上下左右に変更することができる。例えば、図３に示す操作部材８を左に移動させることにより、ＬＥＤレバー１２ｂが右に移動し、ターゲットライト６のターゲット光の照射位置を照明範囲１４の中央部である１００％の照度を有する位置から、５０％の照度を有する位置、２５％の照度を有する位置に順次右方向へ変更することができる。
【００１５】
なおここで、「１００％、（５０％、２５％）の照度」とは、照明装置２が照射した照明光の照度（明るさの度合い）を示すものである。照明範囲１４の略中央領域の照度を１００％とすると、その照明範囲１４の上下および左右それぞれにおける端部領域の照度は、中央領域の照度に対して約１／４（２５％）の照度となり、またその照明範囲１４内の中間の領域の照度は、中央領域の照度に対して約半分（５０％）の照度となる。
【００１６】
同様に、操作部材８を右に移動させることにより、ターゲットライト６によるターゲット光の照射位置を照明範囲１４内において順次左方向へ変更することができる。更に操作部材８を上に移動させることにより、ターゲットライト６によるターゲット光の照射位置を照明範囲１４内において順次下方向へ変更することができ、操作部材８を下に移動させることにより、ターゲットライト６によるターゲット光の照射位置を照明範囲１４内において順次上方向へ変更することができる。なお、本実施例では上下左右にターゲットライト６を移動する構成としているが、ターゲットライト６によるターゲット光の照射位置を照明範囲１４内の対角方向へも（即ち上下左右対角の８方向へ）移動可能に構成しても良い。
【００１７】
この実施の形態に係る照明装置２によれば、照明範囲１４内において所望の照度の位置にターゲットライト６からのターゲット光の照射位置を移動させ、その後ターゲットライト６が主要被写体に当たるように照明装置２の照明光の照射方向を変更することにより所望の照度で主要被写体の照明を行うことができる。また多灯照明により主要被写体の照明を行う場合には、それぞれの照明装置の照度を最大照度を基準に数値化して定めることができるため、撮影者の感に頼らず有効な多灯照明を行うことができる。
【００１８】
例えば、撮影者が、図６に図示した「２５％の照度」の照明光を被写体に照明したいと思った場合には、撮影者は操作部材８を左に移動させてターゲットライト６からのターゲット光を図６の「２５％」の黒丸の位置に照射させる。その後、撮影者は、その操作状態（操作部材８への操作状態）を維持したままで、今度はそのターゲット光が所望の被写体に照射されるように、照明装置２全体に対して移動操作（上下方向への移動、あるいは左右方向への移動、あるいは回転方向への移動）する。そしてターゲット光が所望の被写体に照射された状態を設定すると、撮影者は操作部材８への操作を解除する。この操作部材８への操作解除によって、所望の被写体からターゲット光が逸れ、所望の被写体には所望の強さの照明光のみが照射される。このようにすることで、撮影者は所望の強さの照明光（この場合では、照度２５％の照明光）を、被写体に照射することができる。この照明状態でカメラ１を使って撮影動作をすることで、撮影者は所望の強度（照度）の照明光下で撮影した画像を得ることができる。
【００１９】
次に、図面を参照して、本発明の第２の実施の形態に係る照明装置について説明する。図７は第２の実施の形態に係る照明装置を前方から視た斜視図であり、図８は実施の形態に係る照明装置を背面側から視た内部構造を示す図である。
【００２０】
この照明装置２は、前面に照明光射出窓４有すると共に照明光射出窓４の上部に複数の光源を有するターゲットライト２０を有し、背面に複数の光源のそれぞれに対応した、複数のターゲットライト操作スイッチ２２を有すると共にターゲットライト操作スイッチ２２の下部に電源スイッチ１０を有している。ここでターゲットライト２０が備える複数の光源は、基板上に十字状に配置されており、照明装置２の照明範囲１４の略中央を通る縦線及び横線上のそれぞれの位置を照射する。従って、照明範囲１４内の所望の位置をターゲットライト２０からのターゲット光で照射する場合には、所望の位置を照射する光源に対応して設けられている操作スイッチ２２を操作してターゲット光の照射を行う。
【００２１】
なお、上述の各実施の形態において、照明装置２の照明光の照度に応じてターゲットライト６または２０の照射光の照度を変更するようにしてもよい。即ち、照明装置２の照明光の照度が低い場合には、ターゲットライト６または２０の照射光の照度を低くする。これにより照明装置２における電力消費の低減を図ることができる。
【００２２】
また、上述の実施の形態において、照明装置２のターゲット光の色をターゲット光の照射位置に基づいて変更するようにしても良い。例えば、照明光の最大光量に対して、１００％の位置をターゲット光により照射する場合には、赤色のターゲット光で照射を行い、５０％の位置をターゲット光により照射する場合には、緑色のターゲット光で照射を行い、２５％の位置をターゲット光により照射する場合には、青色のターゲット光で照射を行う。
【００２３】
また、上述の第１の実施の形態において、操作部材８の操作にクリック感を持たせ、照明光の最大光量に対する１００％の位置、５０％の位置、２５％の位置等が明確に分かるようにしても良い。
【００２４】
また、上述の第１の実施の形態においては、ターゲットライト６に連結されている操作部材８を、撮影者が直接操作することによりＬＥＤレバー１２ｂを動かしているが、モーター等によりＬＥＤレバー１２ｂを動かすようにしても良い。
【００２５】
また、上述の第２の実施の形態においては、ターゲットライト２０の複数の光源を十字状に配置しているが、照明領域１４のそれぞれの領域を照射できるように、複数の光源を面上に配置し、各光源を点灯させるためのスイッチを設けるようにしても良い。
【００２６】
また、上述の実施の形態において、音声認識機能を付加することにより、音声により照明装置２の点灯、消灯の指示を行うようにしても良いう。
【００２７】
更に、上述の実施の形態において、加速度センサを備え、照明装置２に作用する加速度を検出することにより、照明装置２の点灯、消灯を行うようにしても良い。例えば、照明装置２を１回上に（または下に、または上下に）振ると点灯し、再度同様に振ると消灯するようにしても良い。
【００２８】
また、上述の実施の形態において、照明装置２に加えられるタップ動作を検出することにより、照明装置２の点灯、消灯を行うようにしても良いう。例えば、照明装置２を１回タップすると点灯し、再度タップすると消灯するようにしても良い。
【符号の説明】
【００２９】
２…照明装置、４…照明光射出窓、６…ターゲットライト、８…ターゲットライト操作部材、１０…電源スイッチ、１２…ターゲットライト操作機構、１４…照明範囲、２０…ターゲットライト、２２…操作スイッチ
【図１】
2015087462.tif 000003
【図２】
2015087462.tif 000004
【図３】
2015087462.tif 000005
【図４】
2015087462.tif 000006
【図５】
2015087462.tif 000007
【図６】
2015087462.tif 000008
【図７】
2015087462.tif 000009
【図８】
2015087462.tif 000010